(57)【要約】【課題】エアコン等から排出される熱風を水の気化熱利用により温度低下する装置の開発。【解決手段】１  略円盤形の繊維体の中央部に孔を設け、前記繊維体を濡らすための水供給部を有する排出風の処理装置。２  略円盤形の繊維体の中央部に孔を設け、かつ背面にも繊維体を有し、これらの繊維体を濡らすための水供給部を有する排出風の処理装置。３  略円盤形の繊維体の中央部に孔を設け、かつ背面にも繊維体を有し、これらの繊維体を濡らすための水供給部を有するエアコン室外機の吹き出し口排出風の処理装置。【選択図】      図４
2004150782.tif 000002
【特許請求の範囲】
【請求項１】
略円盤形の通風抵抗のない繊維体と、前記繊維体を濡らすための水供給部を有することを特徴とするエアコン排出風の処理装置。
【請求項２】
略円盤形の通風抵抗のない繊維体と、前記繊維体を濡らすための水供給部を有し、かつ背面に受け体を有することを特徴とするエアコン排出風の処理装置。
【請求項３】
略円盤形の孔を多数有するなど加工した通風抵抗のない繊維体と、前記繊維体を濡らすための水供給部を有することを特徴とするエアコン排出風の処理装置。
【発明の詳細な説明】
【０００１】
【発明の属する技術分野】
本発明はエアコンなどの排出風の処理装置に関する。詳しくはエアコン室外機のなどから排出される熱風処理装置に関する。
【０００２】
【従来の技術】
従来、エアコン室外機から冷却時に排出される熱風は、処理せずにそのままであった。エアコン室外機の個々の放熱は小さくとも、全体としては大気温度上昇の弊害がある。都市部ではエアコン使用によるヒートアイランド問題が生じた。このため緑地拡充、保水性舗装にし水を撒き気化熱で路面温度を下げる提案がある。下水再生水散水や屋上緑化なども提案されている。
しかしながら、みるべき処理方法は提案されていない。
【０００３】
【発明が解決しようとする課題】
本発明者は、排出される熱風を濡れた繊維体に導き気化熱で処理することに着目した。気化熱により排出される熱風は処理できる。この原理を利用した排出風の処理装置を提案する。すなわち本発明は、エアコン等から排出される熱風を水の気化熱利用により温度低下する装置の開発である。
しかしながら、排出される熱風を受ける部分を筐体などで囲うとエアコンの吹き出し口の温度が上昇し冷房機能が低下する恐れがある。また排出される熱風の流れに抵抗が生じる恐れがある。
そこで、本発明はエアコン室外機の温度を上昇させず、かつ熱風を気化熱処理する装置の開発を課題とした。
【０００４】
【課題を解決するための手段】
本発明者は鋭意研究した結果、上記目的を達成するために、濡れた繊維体をエアコンの吹き出し口におくことに着目した。繊維体に常時水分を供給し濡れた状態にして吹き出し口に置けば、気化により排出空気の温度は低下できる。
また、排出される熱風の流れに抵抗を余り生じさせず、エアコン室外機の温度を上昇させないために、略円盤形の濡れたた繊維体の中央部に通風孔を設け、前記繊維体を濡らすための水供給部を有すること排出風の処理装置を発明した。
濡れたた繊維体は水の膜で抵抗が生じるので繊維体に適宜に孔を多数設ければ良いことも見いだした。排出風の熱風空気の一部は繊維体の孔を抜け背面に出る、残りの熱風は繊維体曲面に沿って中央の通風孔から抜ける。これらの風は濡れた繊維体により冷やされる。さらに背面の濡れた繊維体でも冷やされ上下の風として排出される。
【０００５】
すなわち、本発明の構成は、下記になる。
１  略円盤形の孔付き繊維体の中央部に通風孔を設け、前記繊維体を濡らすための水供給部を有することを特徴とする排出風の処理装置。
２  略円盤形の孔付き繊維体の中央部に通風孔を設け、前記繊維体を濡らすための水供給部を有し、かつ背面に受け体を有することを特徴とする排出風の処理装置。
３  略円盤形の孔付き繊維体の中央部に通風孔を設け、前記繊維体を濡らすための水供給部を有し、かつ背面に受け体を有することを特徴とするエアコンから排出される排出風の処理装置。
以下本発明を図と符号を用いて詳しく説明する。
【０００６】
図１は本発明品側面図、図２は本発明品正面図、図３は本発明品側面図、図４は本発明品側面図である。また図５は繊維体取付の説明断面図、図６は本発明品側面断面図である。
符号の１は本発明品、２は繊維体、３は背面部、４は孔部、５は後部受け体、６は水道管からの接合部、７は後部の繊維体である。また、８は背面部、９は土台。１０は連結筒部、１１はエアコン室外機、１２は吹き出し口、１３は柱体である。さらに２１は差し込んだ繊維体、３１は背面骨組み、４１は孔、５１は欠番、６１パイプである。
また、１０１はエアコンからの風の流れ、１０２は孔からの風の流れ、１０３処理したの風の流れ、１０４は処理したの風の流れを示す。
図１に示すように、本発明品１は略円盤形の孔付き繊維体２の中央部に孔部４を設け、前記繊維体を濡らすための水供給部である水道管からの接合部６を有するエアコン室外機１１からの排出風の処理装置である。図２は本発明品１の正面図である。風通しを良くするための孔４１を有する。
【０００７】
図３を説明する。本発明品１は図１であるが、図３に示すごとく後部受け体５と組み合わせてもよい。
図４は後部受け体と筒で結合した実施例を示す。
【０００８】
図５はパイプ６１に繊維体２を差し込む例図である。差し込んだ繊維体は水で膨れ抜けなくなる。
【０００９】
図６は天井型の本発明実施例の側面断面図であるを示す。
【００１０】
【発明の実施の形態】
本発明品はエアコン室外機から排出される空気を水の気化を利用して冷却するものである。図１のように縦型でもよく、図６の如く天井型にもできる。
好ましくは、後部受け体と組み合わせるのがよい。後部受け体が冷却効果を高め、風の向き上下に変化する。
【００１１】
【実施例１】
エアコン室外機から排出される空気温度は、室内の設定温度や室外気温により変化する。また本発明品を使用して温度低下効果は水温により変化する。このため実験は条件で異なる。本発明者の測定では、発明品で処理した排出風の温度は使用することにより３度低下できた。
エアコンからの風の流れ１０１は、水で温度低下し孔からの風の流れ１０２となる。そして、後部受け体５により上下に分かれた、処理したの風の流れ１０３と、１０４になる。
【００１２】
【発明の効果】
本発明は、以上説明したように濡れた繊維体でに気化熱処理という簡単な方法でエアコンの室外機の吹き出し口の熱風を処理できる。都市のヒートアイランド化防止に寄与できる。装置も比較的簡単に製作できる。
以上、説明した如く本発明は産業上有益である。
【図面の簡単な説明】
【図１】は本発明品側面図である。
【図２】は本発明品正面図である。
【図３】は本発明品側面図である。
【図４】は本発明品側面図である。
【図５】は繊維体取付の説明断面図である。
【図６】は本発明品側面断面図である。
【符号の説明】
１は本発明品、２は繊維体、３は背面部、４は孔部である。
５は後部受け体、６は水道管からの接合部、７は後部の繊維体である。
８は背面部  ９は土台。１０は連結筒部、１１はエアコン室外機、１２は吹き出し口、１３は柱体である。
２１は差し込んだ繊維体、３１は背面骨組み、４１は孔、５１は欠番、６１パイプである。
１０１はエアコンからの風の流れ、１０２は孔からの風の流れ、１０３処理したの風の流れ、１０４は処理したの風の流れである。
【図１】
2004150782.tif 000003
【図２】
2004150782.tif 000004
【図３】
2004150782.tif 000005
【図４】
2004150782.tif 000006
【図５】
2004150782.tif 000007
【図６】
2004150782.tif 000008